(57)【要約】【課題】取手本体の中空構造の把持部の先端部にエンドキャップを確実に固定することができる調理器具用取手を提供する。【解決手段】調理器具本体に固定される略中実構造の短い固定部１１と、この固定部１１に連設され、先端面が開口された中空構造の長い把持部１２とを有する取手本体１０と、取手本体１０の把持部１２の先端開口部に内嵌めされる筒状の嵌合部２１と、この嵌合部２１の一端側を閉塞する閉塞部２２とを有するエンドキャップ２０とを備えており、ロック手段３０によって、取手本体１０に対するエンドキャップ２０の装着状態がロックされるようになっている。ロック手段３０は、エンドキャップ２０の嵌合部２１を構成している弾性変形片２１ｃの下面に形成された凸部３１と、取手本体１０の把持部１２における先端側の下面に形成された、凸部３１が嵌入される孔部３２とから構成されている。【選択図】        図３
0003200545.tif 000002
【実用新案登録請求の範囲】
【請求項１】
調理器具本体に取り付けられる調理器具用取手であって、
基端部が調理器具本体に固定される中空構造の取手本体と、
前記取手本体の開放された先端部に装着されるエンドキャップと、
前記取手本体に対する前記エンドキャップの装着状態をロックするロック手段とを備え、
前記ロック手段は、
前記エンドキャップに設けられた係合部と、
前記取手本体に設けられた、前記係合部が係合する被係合部と
を有している調理器具用取手。
【請求項２】
前記エンドキャップは、前記取手本体の開放された先端部に内嵌めまたは外嵌めされる嵌合部を有し、
前記嵌合部は、前記係合部が形成され、かつ、前記被係合部に対する前記係合部の反係合方向に弾性変形可能な弾性変形片を有している請求項１に記載の調理器具用取手。
【請求項３】
前記嵌合部は、前記取手本体の開放された先端部に内嵌めされるようになっており、
前記係合部は、前記弾性変形片の外面側に突出する凸部であり、前記被係合部は、前記凸部が嵌入される孔部である請求項２に記載の調理器具用取手。
【請求項４】
前記取手本体及び前記エンドキャップには、前記エンドキャップを前記取手本体に装着した状態で相互に一致する吊下穴が形成されている請求項１、２または３に記載の調理器具用取手。
【請求項５】
前記エンドキャップは、前記取手本体に装着した状態で、前記取手本体の先端部から外側に突出する突出部を有し、
前記突出部に吊下穴が形成されている請求項１、２または３に記載の調理器具用取手。
【考案の詳細な説明】
【技術分野】
【０００１】
この考案は、鍋やフライパン等の調理器具における調理器具本体に取り付けられる調理器具用取手に関する。
【背景技術】
【０００２】
この種の調理器具用取手としては、例えば、図８（ａ）、（ｂ）に示すようなものがある。この調理器具用取手５０は、同図に示すように、調理器具本体Ａの周面に設けられた連結部ｊに基端部が連結固定される取手本体５１と、取手本体５１を調理器具本体Ａの連結部ｊに連結固定する、調理器具本体Ａの連結部ｊに形成された雌ねじにねじ込み可能な雄ねじが一端側の外周面に形成され、他端に大径の頭部を有する固定ねじ５２とを備えており、取手本体５１には、その基端部に固定ねじ５２の軸部を挿通する軸部挿通穴５１ａが形成されている。
【０００３】
従って、固定ねじ５２の軸部を取手本体５１の軸部挿通穴５１ａに挿通した状態で、固定ねじ５２の雄ねじを調理器具本体Ａの連結部ｊに形成された雌ねじにねじ込むことによって、取手本体５１が調理器具本体Ａの連結部ｊに連結固定される。
【０００４】
しかしながら、上述した調理器具用取手５０は、取手本体５１が、その基端部に形成された固定ねじ５２の軸部挿通穴５１ａを有しているものの概ね中実構造であるので、取手本体５１の重量が大きく、調理器具本体Ａに調理器具用取手５０を取り付けた状態では、調理器具用取手５０全体が重く、調理器具を取り扱い難いという問題がある。
【０００５】
そこで、図９（ａ）、（ｂ）に示すように、軽量化した調理器具用取手６０も開発されている。この調理器具用取手６０は、同図に示すように、取手本体６１を、基端部に形成された、固定ねじ６４の軸部挿通穴６２ａを有する略中実構造の短い固定部６２と、この固定部６２に連設された中空構造の長い把持部６３とによって構成することで軽量化を図っており、取手本体６１の開放された把持部６３の先端部に、嵌合面に接着剤を塗布したエンドキャップ６５を圧入して接着固定することによって、把持部６３の先端部を閉塞している。
【先行技術文献】
【特許文献】
【０００６】
【特許文献１】特開２０１２−０１６３７２号公報
【特許文献２】特開２００２−２９１６２８号公報
【考案の概要】
【考案が解決しようとする課題】
【０００７】
しかしながら、上述した調理器具用取手６０は、取手本体６１の開放された把持部６３の先端部を閉塞するエンドキャップ６５が、把持部６３の先端部に圧入された状態で接着固定されているので、接着剤の経年変化によって接着力が低下したり、熱膨張の影響を受けたりすることで、エンドキャップ６５が把持部６３の先端部から外れてしまうおそれがある。
【０００８】
そこで、この考案の課題は、取手本体の中空構造の把持部の先端部にエンドキャップを確実に固定することができる調理器具用取手を提供することにある。
【課題を解決するための手段】
【０００９】
上記の課題を解決するため、請求項１に係る考案は、調理器具本体に取り付けられる調理器具用取手であって、基端部が調理器具本体に固定される中空構造の取手本体と、前記取手本体の開放された先端部に装着されるエンドキャップと、前記取手本体に対する前記エンドキャップの装着状態をロックするロック手段とを備え、前記ロック手段は、前記エンドキャップに設けられた係合部と、前記取手本体に設けられた、前記係合部が係合する被係合部とを有している調理器具用取手を提供するものである。
【００１０】
また、請求項２に係る考案は、請求項１に係る考案の調理器具用取手において、前記エンドキャップは、前記取手本体の開放された先端部に内嵌めまたは外嵌めされる嵌合部を有し、前記嵌合部は、前記係合部が形成され、かつ、前記被係合部に対する前記係合部の反係合方向に弾性変形可能な弾性変形片を有していることを特徴としている。
【００１１】
また、請求項３に係る考案は、請求項２に係る考案の調理器具用取手において、前記取手本体の開放された先端部に内嵌めされるようになっており、前記係合部は、前記弾性変形片の外面側に突出する凸部であり、前記被係合部は、前記凸部が嵌入される孔部であることを特徴としている。
【００１２】
また、請求項４に係る考案は、請求項１、２または３に係る考案の調理器具用取手において、前記取手本体及び前記エンドキャップには、前記エンドキャップを前記取手本体に装着した状態で相互に一致する吊下穴が形成されていることを特徴としている。
【００１３】
また、請求項５に係る考案は、請求項１、２または３に係る考案の調理器具用取手において、前記エンドキャップは、前記取手本体に装着した状態で、前記取手本体の先端部から外側に突出する突出部を有し、前記突出部に吊下穴が形成されていることを特徴としている。
【考案の効果】
【００１４】
以上のように、請求項１に係る考案の調理器具用取手は、取手本体に対するエンドキャップの装着状態をロックするロック手段を備えており、取手本体に対するエンドキャップの装着状態をロックした状態では、エンドキャップに設けられた係合部が取手本体に設けられた被係合部に係合しているので、取手本体にエンドキャップを圧入して接着固定する従来の調理器具用取手に比べて、経年変化や熱膨張の影響を受け難く、取手本体に装着されたエンドキャップが外れにくいという効果が得られる。
【００１５】
また、請求項２に係る考案の調理器具用取手は、エンドキャップを取手本体の開放された先端部に内嵌めまたは外嵌めする際、係合部が形成された弾性変形片が弾性変形しながら係合部が被係合部に係合するので、エンドキャップの装着作業性が良い。
【００１６】
また、請求項３に係る考案の調理器具用取手は、嵌合部が、取手本体の開放された先端部に内嵌めされるようになっており、係合部は弾性変形片の外面側に突出する凸部によって、被係合部は凸部が嵌入される孔部によってそれぞれ形成されているので、取手本体に対するエンドキャップの装着状態をロックした状態において、ドライバーや箸等を用いて、孔部に嵌入している凸部を押し入れると、凸部である係合部の孔部である被係合部に対する係合が解除され、取手本体に対するエンドキャップの装着状態のロックを容易に解除することができるので、エンドキャップを取手本体から取り外すことができる。
【００１７】
また、請求項４に係る考案の調理器具用取手は、エンドキャップを取手本体に装着した状態で相互に一致する吊下穴が、取手本体及びエンドキャップの双方に形成されているので、壁面に取り付けられたフック等をその吊下穴に掛けることによって、調理器具を吊り下げ状態で保管することができる。
【００１８】
また、請求項５に係る考案の調理器具用取手は、エンドキャップが、取手本体に装着した状態で取手本体の先端部から外側に突出する突出部を有し、その突出部に吊下穴が形成されているので、中空構造を有する取手本体の開放端がエンドキャップによって閉塞されており、吊下穴から取手本体の内部に水が入り込むことがない。
【図面の簡単な説明】
【００１９】
【図１】（ａ）はこの考案に係る調理器具用取手の一実施形態を示す斜視図、（ｂ）は同上の調理器具用取手を示す分解斜視図である。
【図２】（ａ）は同上の調理器具用取手を示す平面図、（ｂ）は同上の調理器具用取手を示す分解平面図である。
【図３】（ａ）は図２（ａ）のＸ−Ｘ線に沿った断面図、（ｂ）は図２（ｂ）のＹ−Ｙ線に沿った断面図である。
【図４】（ａ）は同上の調理器具用取手の調理器具本体への取付構造を示す分解側面図、（ｂ）は同上の調理器具用取手の調理器具本体への取付構造を示す断面図である。
【図５】（ａ）は他の実施形態である調理器具用取手の一実施形態を示す斜視図、（ｂ）は同上の調理器具用取手を示す分解斜視図である。
【図６】（ａ）は同上の調理器具用取手を示す平面図、（ｂ）は同上の調理器具用取手を示す分解平面図である。
【図７】（ａ）は図６（ａ）のＸ−Ｘ線に沿った断面図、（ｂ）は図６（ｂ）のＹ−Ｙ線に沿った断面図である。
【図８】（ａ）は従来の調理器具用取手を示す側面図、（ｂ）は同上の調理器具用取手を示す縦断面図である。
【図９】（ａ）は従来の他の調理器具用取手を示す側面図、（ｂ）は同上の調理器具用取手を示す縦断面図である。
【考案を実施するための形態】
【００２０】
以下、実施の形態について図面を参照して説明する。図１〜図４に示すように、この考案に係る調理器具用取手１は、基端部が調理器具本体にねじ止めされる取手本体１０と、取手本体１０の先端部に装着されるエンドキャップ２０とを備えており、ロック手段３０によって、取手本体１０に対するエンドキャップ２０の装着状態がロックされるようになっている。
【００２１】
前記取手本体１０は、調理器具本体Ａに固定される略中実構造の短い固定部１１と、この固定部１１に連設され、先端面が開口された中空構造の長い把持部１２とを備えた合成樹脂成型体であり、固定部１１から把持部１２の先端部に向かって斜め上方側に延びている。
【００２２】
前記固定部１１は、固定ねじＳの軸部を挿通する小径の軸部挿通孔及び固定ねじＳの頭部を受け入れる大径の頭部受入孔からなるねじ挿通孔１１ａを有しており、固定部１１の基端面には、開放されたねじ挿通孔１１ａの両側に調理器具本体Ａの連結部ｊに嵌合する一対の凸部１１ｂ、１１ｂが形成されている。
【００２３】
前記把持部１２は、固定部１１のねじ挿通孔１１ａに固定ねじＳを通すことができるように、基端部の下面に凹部１２ａが形成されており、先端部には、上下に貫通する吊下穴１２ｂが形成されている。
【００２４】
前記エンドキャップ２０は、取手本体１０の把持部１２の先端開口部に内嵌めされる筒状の嵌合部２１と、この嵌合部２１の一端側を閉塞する閉塞部２２とを備えた合成樹脂成型体であり、嵌合部２１には、取手本体１０に装着した状態で、取手本体１０の吊下穴１２ｂに対応する位置に、上下に貫通する吊下穴２１ａが形成されている。
【００２５】
前記嵌合部２１の左右両側面には、その他端から中央部に至るスリット２１ｂが形成されており、そのスリット２１ｂによって上下に分割された他端側の下側部分が上方に弾性変形する、端面Ｕ字状の弾性変形片２１ｃとなっている。
【００２６】
前記ロック手段３０は、エンドキャップ２０の嵌合部２１における弾性変形片２１ｃの下面に形成された、係合部としての凸部３１と、取手本体１０の把持部１２における先端側の下面に形成された、エンドキャップ２０を取手本体１０の先端部に装着した状態で、凸部３１が嵌入される、被係合部としての孔部３２とから構成されており、エンドキャップ２０を取手本体１０の開放された先端部に内嵌めして装着する際、凸部３１が形成された弾性変形片２１ｃが上方側に弾性変形しながら、嵌合部２１が取手本体１０の先端部内に進入していき、所定の装着位置において凸部３１が孔部３２に嵌入され、これによって、取手本体１０に対するエンドキャップ２０の装着状態がロックされるようになっている。
【００２７】
以上のように、この調理器具用取手１は、取手本体１０に対するエンドキャップ２０の装着状態をロックするロック手段３０を備えており、取手本体１０にエンドキャップ２０を装着した状態では、エンドキャップ２０に設けられた凸部３１が取手本体１０に設けられた孔部３２に嵌入することで、取手本体１０に対するエンドキャップ２０の装着状態がロックされるようになっているので、取手本体にエンドキャップを圧入して接着固定する従来の調理器具用取手に比べて、経年変化や熱膨張の影響を受け難く、取手本体１０に装着されたエンドキャップ２０が外れにくいという効果が得られる。
【００２８】
また、この調理器具用取手１は、上述したように、エンドキャップ２０を取手本体１０の開放された先端部に内嵌めする際、凸部３１が形成された弾性変形片２１ｃが弾性変形しながら、嵌合部２１が取手本体１０の先端部内に進入していき、最終的に、凸部３１が、取手本体１０の把持部１２における先端側の下面に形成された孔部３２に嵌入するので、エンドキャップ２０の装着作業性がよい。
【００２９】
さらに、取手本体１０に対するエンドキャップ２０の装着状態をロックした状態において、ドライバーや箸等を用いて、孔部３２に嵌入している凸部３１を押し入れると、凸部３１と孔部３２との係合状態が解除され、取手本体１０に対するエンドキャップ２０の装着状態のロックを容易に解除することができるので、エンドキャップ２０を取手本体１０から引き抜くことによって、エンドキャップ２０を取手本体１０から取り外すこともできる。従って、取手本体１０における把持部１２の内部を洗浄する際の作業性もよい。
【００３０】
また、この調理器具用取手１は、エンドキャップ２０を取手本体１０に装着した状態で相互に一致する吊下穴１２ｂ及び吊下穴２１ａが、取手本体１０及びエンドキャップ２０の双方に形成されているので、壁面に取り付けられたフック等をその吊下穴１２ｂ及び吊下穴２１ａに掛けることによって、調理器具を吊り下げ状態で保管することができる。
【００３１】
図５〜図７は他の実施形態を示している。この調理器具用取手２も、上述した調理器具用取手１と基本的に同一構成を有しているので、同一の構成要素には同一符号を付してその説明を省略し、異なる構成要素について説明する。
【００３２】
この調理器具用取手２は、取手本体１０Ａにおける把持部１２Ａの先端側及びエンドキャップ２０Ａの嵌合部２１Ａに吊下穴が形成されていない点、エンドキャップ２０Ａの閉塞部２２から嵌合部２１Ａの反対側に突出する突出部２３を有している点及びこの突出部２３に吊下穴２３ａが形成されている点で、上述した調理器具用取手１とは構成を異にしている。
【００３３】
従って、この調理器具用取手２では、取手本体１０Ａにおける中空構造を有する把持部１２Ａに吊下穴が形成されておらず、把持部１２Ａの開放端がエンドキャップ２０Ａによって閉塞されているので、吊下穴から取手本体１０Ａの内部に水が入り込むことがなく、把持部１２の内部を洗浄する必要もない。
【００３４】
なお、上述した各実施形態では、エンドキャップ２０、２０Ａを取手本体１０、１０Ａの把持部１２、１２Ａの先端部に内嵌めする構成を採用しているが、これに限定されるものではなく、エンドキャップを取手本体の把持部の先端部に外嵌めする構成を採用することも可能であり、その場合、取手本体の把持部における先端部の左右両側面に、その先端縁から固定部側に延びるスリットを形成することで、上下に分割された下側部分が上方に弾性変形する、端面Ｕ字状の弾性変形片を取手本体側に形成し、この弾性変形片の下面に凸部（被係合部）を形成すると共に、この凸部が嵌入される孔部（係合部）をエンドキャップの嵌合部側に形成することも可能である。
【産業上の利用可能性】
【００３５】
本考案は、鍋やフライパン等の調理器具本体に取り付ける調理器具用取手として利用することができる。
【符号の説明】
【００３６】
１、２  調理器具用取手
１０、１０Ａ  取手本体
１１  固定部
１１ａ  ねじ挿通孔
１１ｂ  凸部
１２、１２Ａ  把持部
１２ａ  凹部
１２ｂ  吊下穴
２０、２０Ａ  エンドキャップ
２１、２１Ａ  嵌合部
２１ａ  吊下穴
２１ｂ  スリット
２１ｃ  弾性変形片
２２  閉塞部
２３  突出部
２３ａ  吊下穴
３０  ロック手段
３１  凸部（係合部）
３２  孔部（被係合部）
Ａ  調理器具本体
ｊ  連結部
Ｓ  固定ねじ
【図１】
0003200545.tif 000003
【図２】
0003200545.tif 000004
【図３】
0003200545.tif 000005
【図４】
0003200545.tif 000006
【図５】
0003200545.tif 000007
【図６】
0003200545.tif 000008
【図７】
0003200545.tif 000009
【図８】
0003200545.tif 000010
【図９】
0003200545.tif 000011